(57)【特許請求の範囲】
【請求項１】
４角形に組み立てられた板体の内面中央部に突起を突設し、この突起をはさんで互いに対向して収納されたキャンバス枠を止める止具を前記板体の側部に設けて成るユニットを奇数個備え、これらのユニットの下端部をヒンジ部により開閉自在に連結し、また前記奇数個のユニットのうちの中央部のユニットの上部に把手を設け、且つユニットを構成する左右の板体の下端部を底板となる板体より下方へ突出する脚部とし、更に１つのユニットの内部に立板と横板を装着して複数個の区画を確保したことを特徴とするキャンバスホルダー。
【発明の詳細な説明】
【０００１】
【発明の属する技術分野】
本発明は、複数枚のキャンバスを手軽に持ち運びできるキャンバスホルダーに関するものである。
【０００２】
【従来の技術】
油絵などの絵を描いたキャンバスは持ち運びされることが多い。しかしながら絵材は乾燥しにくくべとついているため、器物や衣服などに触れると汚れやすいものであった。そこで従来より、特に描き途中の油絵などは、かなり厳重に梱包したり、あるいは器物などに当らないように細心の注意を払いながら持ち運びしていた。しかしながら絵の枚数が多いと、このような持ち運び方法にも限界があり、画家や絵の愛好者などは絵の運搬に困っている実情にあった。
【０００３】
【発明が解決しようとする課題】
そこで本発明は、複数枚の絵を手軽、安全に持ち運びあるいは保管できるキャンバスホルダーを提供することを目的とする。
【０００５】
【課題を解決するための手段】
また本発明のキャンバスホルダーは、４角形に組み立てられた板体の内面中央部に突起を突設し、この突起をはさんで互いに対向して収納されたキャンバス枠を止める止具を前記板体の側部に設けて成るユニットを奇数個備え、これらのユニットの下端部をヒンジ部により開閉自在に連結し、また前記奇数個のユニットのうちの中央部のユニットの上部に把手を設け、且つユニットを構成する左右の板体の下端部を底板となる板体より下方へ突出する脚部とし、更に１つのユニットの内部に立板と横板を装着して複数個の区画を確保したものである。
【０００６】
本発明のキャンバスホルダーは、突起をはさんで２枚のキャンバスを互いに対向させて収納するので、絵が器物や衣服などに当るおそれはなく、複数枚の絵を手軽、安全に持ち運びあるいは保管することができる。
【０００７】
【発明の実施の形態】
（実施の形態１）
図１は本発明の実施の形態１におけるキャンバスホルダーの斜視図、図２は２枚のキャンバスを収納したキャンバスホルダーの断面図である。
【０００８】
図１において、キャンバスホルダー１は、４枚の板体２，３，４，５を４角形の枠型に組み立てて作られている。板体２〜５の内面中央には、それぞれの板体２〜５の長手方向に沿うように細長い突起６が突設されている。左右の板体２，３の下端部２ａ，３ａは底板となる板体４よりも下方へ突出しており、床上などに置く場合の脚部となる。また板体２，３の上端部２ｂ，３ｂは上板となる板体５よりも突出しており、この上端部２ｂ，３ｂには把手７が設けられている。勿論、把手７は板体５に直接取りつけてもよい。また板体２，３の両側部、好ましくは両側面には、止具８が設けられている。本実施の形態の止具８は水平回転自在（矢印参照）なピンから成っている。
【０００９】
図２は、２枚のキャンバス１０を収納した状態を示している。キャンバス１０はキャンバス枠１１に張設されている。２枚のキャンバス１０は、互いに表面（絵面）を対向させて突起６をはさんで収納されている。４枚の板体２〜５の幅Ｗは、収納状態の２個のキャンバス枠１１の幅Ｗ’と同じかこれよりもやや大きく、したがって収納状態で、キャンバス枠１１は４枚の板体２〜４にその外周面を完全に覆われる。そして止具８を内側に回転させてキャンバス枠１１を押えることにより、キャンバス１０が脱落するのを防止している。
【００１０】
このキャンバスホルダー１は上記のような構成より成るので、キャンバス１０の絵面に器物や衣服などが当るおそれはなく、把手７を手に保持して手軽に持ち運びし、あるいは保管することができる。
【００１１】
（実施の形態２）
図３は本発明の実施の形態２におけるキャンバスホルダーの分解斜視図、図４はキャンバスホルダーの平面図である。
【００１２】
図３において、キャンバスホルダー１’は複数個（本例では３個）のユニット２０，３０，４０から成っている。まず、第１のユニット２０を説明する。ユニット２０は４枚の板体２１〜２４を４角形の枠型に組み立てて作られている。左右の板体２１，２２の下端部２１ａ，２２ａは底板となる板体２３より下方へ突出する脚部となっている。また各板体２１〜２４の内面中央には実施の形態１と同様の突起２５が突設されている。
【００１３】
次に第２のユニット３０について説明する。第２のユニット３０は第１のユニット２０と同構造であって、４枚の板体３１〜３４と突起３５から成っており、また板体３１，３２の下端部３１ａ，３２ａは底板である板体３３より下方へ突出する脚部となっている。また上板となる板体３４の上面には把手３６が設けられている。
【００１４】
次に第３のユニット４０について説明する。第３のユニット３０は４枚の板体４１〜４４を４角形の枠型に組み立て、更にその内部に立板４５と横板４６を装着して複数個（本例では３個）の区画４７，４８，４９を確保している。そして第１の区画４７と第２の区画４８の内面には、上記と同様の突起５０，５１が突設されている。第３の区画４９は物入れとなるものであり、したがって突起は形成されていない。４１ａ，４２ａは板体４１，４２の下端部の脚部である。各ユニット２０，３０，４０には、実施の形態１と同様に止具８が設けられている。
【００１５】
図４において、３つのユニット２０，３０，４０の下端部はヒンジ部５２により開閉（回転）自在に連結されている。また各ユニット２０，３０，４０には実施の形態１と同様にそれぞれ２枚のキャンバス１０が互いに絵面を対向させて収納されている。但し、各ユニット２０，３０，４０や区画４７，４８に収納されているキャンバス１０の大きさ（号数）は相違している。
【００１６】
持ち運び時や保管時などにおいては、３つのユニット２０，３０，４０はベルト５３などで閉じておく。またキャンバス１０を出し入れするときは、ベルト５３をはずし、ユニット２０，４０を鎖線で示すようにヒンジ部５２を中心に回転させて開く。
【００１７】
このように実施の形態２によれば、号数の相違する多数枚（本例では合計８枚）のキャンバス１０を同時に持ち運びできる。
【００１８】
本発明は様々な設計変更が可能であって、例えば突起はスポット的に複数箇所設けてもよい。またベルト５３以外の止具などにより各ユニット２０，３０，４０をばらけないように結合してもよい。またユニットの個数を３個、５個などの奇数個とし、把手は中央のユニットに設けることが持ち運びのバランス上好ましい。
【００１９】
【発明の効果】
以上説明したように本発明によれば、複数枚の絵を手軽、安全に持ち運びあるいは保管できるキャンバスホルダーを実現できる。
【図面の簡単な説明】
【図１】本発明の実施の形態１におけるキャンバスホルダーの斜視図
【図２】本発明の実施の形態１における２枚のキャンバスを収納したキャンバスホルダーの断面図
【図３】本発明の実施の形態２におけるキャンバスホルダーの分解斜視図
【図４】本発明の実施の形態２におけるキャンバスホルダーの平面図
【符号の説明】
１，１’  キャンバスホルダー
２〜５，２１〜２４，３１〜３４，４１〜４４  板体
６，２５，３５，５０，５１  突起
８  止具
２０，３０，４０  ユニット
５２  ヒンジ部
【図１】
0003629000.tif 000002
【図２】
0003629000.tif 000003
【図３】
0003629000.tif 000004
【図４】
0003629000.tif 000005